【手続補正書】
【提出日】令和3年3月25日(2021.3.25)
【手続補正１】
【補正対象書類名】明細書
【補正対象項目名】全文
【補正方法】変更
【補正の内容】
【発明の詳細な説明】
【発明の名称】データ複製機能の制御方法、装置及びコンピュータ記憶媒体
【技術分野】
【０００１】
本発明は、移動通信分野に関し、特に、データ複製機能の制御方法、装置及びコンピュータ記憶媒体に関する。
【背景技術】
【０００２】
無線通信システムにおいて、パケットデータコンバージェンスプロトコル( ＰＤＣＰ、Ｐａｃｋｅｔ Ｄａｔａ Ｃｏｎｖｅｒｇｅｎｃｅ Ｐｒｏｔｏｃｏｌ )エンティティは、データ複製機能を有し、ＰＤＣＰエンティティを介して、２つの無線リンク制御プロトコル( ＲＬＣ、Ｒａｄｉｏ Ｌｉｎｋ Ｃｏｎｔｒｏｌ )エンティティに、複製された２つのデータをそれぞれ送信することができる。ＰＤＣＰエンティティ上のデータ複製は、キャリアアグリゲーション複製( ＣＡ、Ｃａｒｒｉｅｒ Ａｇｇｒｅｇａｔｉｏｎ ｄｕｐｌｉｃａｔｉｏｎ )及びデュアル接続複製( Ｄｕａｌ Ｃｏｎｎｅｃｔｉｖｉｔｙ ｄｕｐｌｉｃａｔｉｏｎ )をサポートする。
【０００３】
次世代移動通信( ＮＲ、Ｎｅｗ Ｒａｄｉｏ )の研究では、データ複製機能をサポートするＰＤＣＰエンティティのバージョンはＮＲであり、ＰＤＣＰエンティティのデータ複製機能を制御可能なメディアアクセス制御-制御情報( ＭＡＣ ＣＥ、Ｍｅｄｉａ Ａｃｃｅｓｓ Ｃｏｎｔｒｏｌ−Ｃｏｎｔｒｏｌ Ｅｌｅｍｅｎｔ )のバージョンもＮＲである。しかしながら、ロングタームエボリューション( ＬＴＥ、Ｌｏｎｇ Ｔｅｒｍ Ｅｖｏｌｕｔｉｏｎ )がアップグレードされた後、データ複製機能をサポートするＰＤＣＰエンティティと、ＰＤＣＰエンティティのデータ複製機能を制御することができるＭＡＣ ＣＥとが存在することも可能であり、この場合のＰＤＣＰエンティティおよびＭＡＣ ＣＥのバージョンは、いずれもＬＴＥである。
【０００４】
ＬＴＥとＮＲが並存するシーンでは、異なるバージョンのＭＡＣ ＣＥがどのようにＰＤＣＰエンティティを制御するかが、解決すべき課題である。
【発明の概要】
【０００５】
上記の課題を解決するために、本発明の実施例は、データ複製機能の制御方法、装置及びコンピュータ記憶媒体を提供する。
【０００６】
本発明の実施例のデータ複製機能の制御方法が、
端末が基地局により送信されたＭＡＣ ＣＥを受信することと、
前記端末が前記ＭＡＣ ＣＥに基づいて、前記端末のＰＤＣＰエンティティのデータ複製機能を制御することとを含み、
前記ＭＡＣ ＣＥが第１のネットワークプロトコルをサポートし、前記ＰＤＣＰエンティティが第２のネットワークプロトコルをサポートする。
【０００７】
本発明の実施例において、前記第１のネットワークプロトコルがＬＴＥネットワークプロトコルであり、前記第２のネットワークプロトコルがＮＲネットワークプロトコルである。
【０００８】
本発明の実施例において、前記第１のネットワークプロトコルがＮＲネットワークプロトコルであり、前記第２のネットワークプロトコルがＬＴＥネットワークプロトコルである。
【０００９】
本発明の実施例において、前記端末が前記ＭＡＣ ＣＥに基づいて前記端末のＰＤＣＰエンティティのデータ複製機能を制御することは、
前記端末が前記ＬＴＥネットワークプロトコルにおけるＭＡＣ ＣＥを利用して、前記ＮＲネットワークプロトコルにおけるＰＤＣＰエンティティのデータ複製機能を制御することを含む。
【００１０】
本発明の実施例において、前記端末が前記ＭＡＣ ＣＥに基づいて前記端末のＰＤＣＰエンティティのデータ複製機能を制御することは、
前記端末が前記ＮＲネットワークプロトコルにおけるＭＡＣ ＣＥを利用して、前記ＬＴＥネットワークプロトコルにおけるＰＤＣＰエンティティのデータ複製機能を制御することを含む。
【００１１】
本発明の実施例において、前記データ複製機能がＣＡ ｄｕｐｌｉｃａｔｉｏｎ機能であり、これに対応し、前記ＰＤＣＰエンティティが第１の無線リンク制御プロトコルＲＬＣエンティティと第２のＲＬＣエンティティに接続され、前記第１のＲＬＣエンティティと前記第２のＲＬＣエンティティが第３のＭＡＣエンティティに接続され、
前記端末が前記ＭＡＣ ＣＥに基づいて前記端末のＰＤＣＰエンティティのデータ複製機能を制御することは、
前記端末が前記ＭＡＣ ＣＥに基づいて、前記ＰＤＣＰエンティティのＣＡ ｄｕｐｌｉｃａｔｉｏｎ機能を制御することを含む。
【００１２】
本発明の実施例において、前記データ複製機能がＤＣ ｄｕｐｌｉｃａｔｉｏｎ機能であり、これに対応し、前記ＰＤＣＰエンティティが第１の無線リンク制御プロトコルＲＬＣエンティティと第２のＲＬＣエンティティに接続され、前記第１のＲＬＣエンティティが第１のＭＡＣエンティティに接続され、前記第２のＲＬＣエンティティが第２のＭＡＣエンティティに接続され、
前記端末が前記ＭＡＣ ＣＥに基づいて前記端末のＰＤＣＰエンティティのデータ複製機能を制御することは、
前記端末が前記ＭＡＣ ＣＥに基づいて、前記ＰＤＣＰエンティティのＤＣ ｄｕｐｌｉｃａｔｉｏｎ機能を制御することを含む。
【００１３】
本発明の実施例において、前記ＰＤＣＰエンティティは、プライマリセルグループに搬送されるＰＤＣＰエンティティである。
【００１４】
本発明の実施例において、前記ＰＤＣＰエンティティは、セカンダリセルグループに搬送されるＰＤＣＰエンティティである。
【００１５】
本発明の実施例において、前記ＰＤＣＰエンティティは、プライマリセルグループ鍵を使用するＰＤＣＰエンティティである。
【００１６】
本発明の実施例において、前記ＰＤＣＰエンティティは、セカンダリセルグループ鍵を使用するＰＤＣＰエンティティである。
【００１７】
本発明の実施例において、前記ＰＤＣＰエンティティは、オフロードベアラのＰＤＣＰエンティティである。
【００１８】
本発明の実施例において、前記端末が前記ＭＡＣ ＣＥに基づいて前記端末のＰＤＣＰエンティティのデータ複製機能を制御することは、
前記端末が前記ＭＡＣ ＣＥに基づいて、前記端末のＰＤＣＰエンティティのデータ複製機能がアクティブ状態にあるように制御することを含む。
【００１９】
本発明の実施例において、前記端末が前記ＭＡＣ ＣＥに基づいて前記端末のＰＤＣＰエンティティのデータ複製機能を制御することは、
前記端末が前記ＭＡＣ ＣＥに基づいて、前記端末のＰＤＣＰエンティティのデータ複製機能が非アクティブ状態にあるように制御することを含む。
【００２０】
本発明の実施例のデータ複製機能の制御装置は、受信ユニット及び制御ユニットを含み、
受信ユニットは、基地局により送信されたＭＡＣ ＣＥを受信するように構成され、前記ＭＡＣ ＣＥが第１のネットワークプロトコルをサポートし、
制御ユニットは、前記ＭＡＣ ＣＥに基づいて、前記端末のＰＤＣＰエンティティのデータ複製機能を制御するように構成され、前記ＰＤＣＰエンティティが第２のネットワークプロトコルをサポートする。
【００２１】
本発明の実施例において、前記第１のネットワークプロトコルがＬＴＥネットワークプロトコルであり、前記第２のネットワークプロトコルがＮＲネットワークプロトコルである。
【００２２】
本発明の実施例において、前記第１のネットワークプロトコルがＮＲネットワークプロトコルであり、前記第２のネットワークプロトコルがＬＴＥネットワークプロトコルである。
【００２３】
本発明の実施例において、前記制御ユニットは、前記ＬＴＥネットワークプロトコルにおけるＭＡＣ ＣＥを利用して、前記ＮＲネットワークプロトコルにおけるＰＤＣＰエンティティのデータ複製機能を制御するように構成される。
【００２４】
本発明の実施例において、前記制御ユニットは、前記ＮＲネットワークプロトコルにおけるＭＡＣ ＣＥを利用して、前記ＬＴＥネットワークプロトコルにおけるＰＤＣＰエンティティのデータ複製機能を制御するように構成される。
【００２５】
本発明の実施例において、前記データ複製機能がＣＡ ｄｕｐｌｉｃａｔｉｏｎ機能であり、これに対応し、前記ＰＤＣＰエンティティが第１の無線リンク制御プロトコルＲＬＣエンティティと第２のＲＬＣエンティティに接続され、前記第１のＲＬＣエンティティと前記第２のＲＬＣエンティティが第３のＭＡＣエンティティに接続され、
前記制御ユニットは、前記ＭＡＣ ＣＥに基づいて、前記ＰＤＣＰエンティティのＣＡ ｄｕｐｌｉｃａｔｉｏｎ機能を制御するように構成される。
【００２６】
本発明の実施例において、前記データ複製機能がデュアル接続複製ＤＣ ｄｕｐｌｉｃａｔｉｏｎ機能であり、これに対応し、前記ＰＤＣＰエンティティが第１の無線リンク制御プロトコルＲＬＣエンティティと第２のＲＬＣエンティティに接続され、前記第１のＲＬＣエンティティが第１のＭＡＣエンティティに接続され、前記第２のＲＬＣエンティティが第２のＭＡＣエンティティに接続され、
前記制御ユニットは、前記ＭＡＣ ＣＥに基づいて、前記ＰＤＣＰエンティティのＤＣ ｄｕｐｌｉｃａｔｉｏｎ機能を制御するように構成される。
【００２７】
本発明の実施例において、前記ＰＤＣＰエンティティは、プライマリセルグループに搬送されるＰＤＣＰエンティティである。
【００２８】
本発明の実施例において、前記ＰＤＣＰエンティティは、セカンダリセルグループに搬送されるＰＤＣＰエンティティである。
【００２９】
本発明の実施例において、前記ＰＤＣＰエンティティは、プライマリセルグループ鍵を使用するＰＤＣＰエンティティである。
【００３０】
本発明の実施例において、前記ＰＤＣＰエンティティは、セカンダリセルグループ鍵を使用するＰＤＣＰエンティティである。
【００３１】
本発明の実施例において、前記ＰＤＣＰエンティティは、オフロードベアラのＰＤＣＰエンティティである。
【００３２】
本発明の実施例において、前記制御ユニットは、前記ＭＡＣ ＣＥに基づいて、前記端末のＰＤＣＰエンティティのデータ複製機能がアクティブ状態にあるように制御するように構成される。
【００３３】
本発明の実施例において、前記制御ユニットは、前記ＭＡＣ ＣＥに基づいて、前記端末のＰＤＣＰエンティティのデータ複製機能が非アクティブ状態にあるように制御するように構成される。
【００３４】
本発明の実施例は、プロセッサによって実行されると、上述のデータ複製機能の制御方法を実現するコンピュータ実行可能命令を記憶したコンピュータ記憶媒体を提供する。
【００３５】
本発明の実施例に係る技術的解決策において、端末は基地局が送信したＭＡＣ ＣＥを受信し、前記ＭＡＣ ＣＥは第１のネットワークプロトコルをサポートし、前記端末は、ＭＡＣ ＣＥに基づいて、第２のネットワークプロトコルをサポートする端末のＰＤＣＰエンティティのデータ複製機能を制御する。本発明の実施例の技術的手段により、異なるネットワークプロトコル間（異なるバージョン）でのＭＡＣ ＣＥがＰＤＣＰエンティティに対するデータ複製機能の制御を実現し、２つのネットワークプロトコルの互換性を向上させる。
【図面の簡単な説明】
【００３６】
本明細書に記載された図面は、本発明の更なる理解を提供するために提供されたものであり、本願の一部を構成し、本発明の例示的な実施形態及びその説明は、本発明を説明するためのものであり、本発明を限定するものではない。図面において、
【図１】本発明の実施例におけるＤＣ ｄｕｐｌｉｃａｔｉｏｎに基づくプロトコルアーキテクチャの構成図である。
【図２】本発明の実施例におけるＣＡ ｄｕｐｌｉｃａｔｉｏｎに基づくプロトコルアーキテクチャの構成図である。
【図３】本発明の実施例におけるデータ複製機能の制御方法のフローチャートである。
【図４】本発明の実施例におけるデータ複製機能の制御装置の構成図である。
【図５】本発明の実施例における端末の構成図である。
【発明を実施するための形態】
【００３７】
本発明の実施例の特徴と技術内容をより詳細に理解できるように、以下、添付図面を参照して本発明の実施例の実装を詳細に説明するが、添付図面は、説明のためのものであり、本発明の実施例を限定するものではない。
【００３８】
以下、本発明の実施形態の技術的思想の理解を容易にするために、本発明の実施例に係るデータ複製方法について説明する。
【００３９】
１）ＤＣ ｄｕｐｌｉｃａｔｉｏｎ
図１は、本発明の実施例に係るＤＣ ｄｕｐｌｉｃａｔｉｏｎに基づくプロトコルアーキテクチャの構成図であり、図１に示すように、データ複製伝送方式は、オフロード搬送( ｓｐｌｉｔ ｂｅａｒｅｒ )のプロトコルアーキテクチャ構成を採用している。左図は下りデータ伝送の模式図、右図は上りデータ伝送の模式図であり、上りデータ伝送の手順と下りデータ伝送の手順が対応する。
【００４０】
下りデータ伝送の手順では、ＰＤＣＰエンティティは、あるセルグループ( ＣＧ、Ｃｅｌｌ Ｇｒｏｕｐ ) ( ＣＧはプライマリセルグループ( ＭＣＧ )又はセカンダリセルグループ( ＳＣＧ )であってもよい)に位置し、そのＣＧはアンカー（ａｎｃｈｏｒ）ＣＧである。ＰＤＣＰエンティティは、ＰＤＣＰサービスデータユニット( ＳＤＵ、Ｓｅｒｖｉｃｅ Ｄａｔａ Ｕｉｎｔ )を同じ２つの部分として複製し、例えば、１つはＰＤＣＰ ＰＤＵ、もう１つはＤｕｐｌｉｃａｔｅｄ ＰＤＣＰ ＰＤＵ、２つのＰＤＣＰ ＰＤＵは異なるＣＧ (図中ＧＧ１およびＣＧ２ )のＲＬＣエンティティおよびＭＡＣエンティティを通過し、エアインターフェースを通過して、端末( ＵＥ、Ｕｓｅｒ Ｅｑｕｉｐｍｅｎｔ )に対応するＭＡＣエンティティおよびＲＬＣエンティティに到着し、最後にＰＤＣＰエンティティに収束し、ＰＤＣＰエンティティは、２つのＰＤＣＰ ＰＤＵが同じであると監視する場合、１つを破棄し、もう１つを上位層に送信する。
【００４１】
上りデータ伝送の手順としては、ＰＤＣＰエンティティはある端末に存在する。ＰＤＣＰエンティティは、ＰＤＣＰ ＳＤＵを同じ２つの部分として複製し、例えば、１つはＰＤＣＰ ＰＤＵ、もう１つはＤｕｐｌｉｃａｔｅｄ ＰＤＣＰ ＰＤＵ、２つのＰＤＣＰ ＰＤＵは、異なるＲＬＣエンティティおよびＭＡＣエンティティを通過し、エアインターフェースを通過して、２つのＣＧ (図中のＣＧ１およびＣＧ２ )に対応するＭＡＣエンティティおよびＲＬＣエンティティに到着し、最終的に一方のＣＧ (図中のＣＧ１ )のＰＤＣＰエンティティに収束し、ＰＤＣＰエンティティは、２つのＰＤＣＰ ＰＤＵが同じであると監視する場合、一方を破棄し、他方を上位層に送信する。
【００４２】
上記の技術案では、ＰＤＣＰエンティティの下にそれぞれ接続される２つのＲＬＣエンティティおよびＭＡＣエンティティに対応するベアラは、ｓｐｌｉｔ ｂｅａｒｅｒと呼ばれ、ＰＤＣＰエンティティがＭＣＧに位置する場合、ｓｐｌｉｔ ｂｅａｒｅｒはＭＣＧ Ｓｐｌｉｔ Ｂｅａｒｅｒと呼ばれ、ＰＤＣＰエンティティがＳＣＧに位置する場合、ｓｐｌｉｔ ｂｅａｒｅｒはＳＣＧ Ｓｐｌｉｔ Ｂｅａｒｅｒと呼ばれる。
【００４３】
２）ＣＡ ｄｕｐｌｉｃａｔｉｏｎ
図２は、本発明の実施例に係るＣＡ ｄｕｐｌｉｃａｔｉｏｎに基づくプロトコルアーキテクチャを示し、図２に示すように、データ複製伝送方式は、ＰＤＣＰエンティティのデータ複製機能を利用して、複製された２つのＰＤＣＰ ＰＤＵを２つのＲＬＣエンティティ( ２つの異なる論理チャネルに対応する)にそれぞれ伝送し、最終的に、複製された２つのＰＤＣＰ ＰＤＵが異なる物理層アグリゲーションキャリア(図に示すＰｈｙｓｉｃａｌ Ｃａｒｒｉｅｒ１およびＰｈｙｓｉｃａｌ Ｃａｒｒｉｅｒ２ )上で伝送されることを保証し、これにより、周波数ダイバーシチゲインを達成してデータ伝送の信頼性を向上させる。
【００４４】
図１及び図２から分かるように、端末側の複製データ伝送については、ＤＣ ｄｕｐｌｉｃａｔｉｏｎには２つのＭＡＣエンティティが対応し、ＣＡ ｄｕｐｌｉｃａｔｉｏｎには１つのＭＡＣエンティティが対応する。
【００４５】
図３は本発明の実施例におけるデータ複製機能の制御方法のフローチャートであり、図３に示すように、前記データ複製機能の制御方法は、以下のステップを含む。
【００４６】
ステップ３０１において、端末が基地局により送信されたＭＡＣ ＣＥを受信し、前記ＭＡＣ ＣＥが第１のネットワークプロトコルをサポートする。
【００４７】
ステップ３０２において、前記端末が前記ＭＡＣ ＣＥに基づいて、前記端末のＰＤＣＰエンティティのデータ複製機能を制御し、前記ＰＤＣＰエンティティが第２のネットワークプロトコルをサポートする。
【００４８】
本発明の実施例において、第１のネットワークプロトコルと第２のネットワークプロトコルとは、異なるネットワークプロトコルである。
【００４９】
例えば、前記第１のネットワークプロトコルがＬＴＥネットワークプロトコルであり、前記第２のネットワークプロトコルがＮＲネットワークプロトコルであり、又は、前記第１のネットワークプロトコルがＮＲネットワークプロトコルであり、前記第２のネットワークプロトコルがＬＴＥネットワークプロトコルである。
【００５０】
ある実施形態において、第１のネットワークプロトコルがＬＴＥネットワークプロトコルであり、前記第２のネットワークプロトコルがＮＲネットワークプロトコルであり、このシーンにおいて、端末が前記ＬＴＥネットワークプロトコルにおけるＭＡＣ ＣＥを利用して、前記ＮＲネットワークプロトコルにおけるＰＤＣＰエンティティのデータ複製機能を制御する。
【００５１】
他の実施形態において、第１のネットワークプロトコルがＮＲネットワークプロトコルであり、前記第２のネットワークプロトコルがＬＴＥネットワークプロトコルであり、このシーンにおいて、端末が前記ＮＲネットワークプロトコルにおけるＭＡＣ ＣＥを利用して、前記ＬＴＥネットワークプロトコルにおけるＰＤＣＰエンティティのデータ複製機能を制御する。
【００５２】
上記の方式は、どのような制御方式であっても、２つのデータ複製シーンに適用可能であり、以下では、これら２つのデータ複製シーンについてそれぞれ説明する。
【００５３】
第１のデータ複製シーンにおいて、前記データ複製機能がＣＡ ｄｕｐｌｉｃａｔｉｏｎ機能であり、これに対応し、前記ＰＤＣＰエンティティが第１の無線リンク制御プロトコルＲＬＣエンティティと第２のＲＬＣエンティティに接続され、前記第１のＲＬＣエンティティと前記第２のＲＬＣエンティティとが第３のＭＡＣエンティティに接続され、図２を参照する。
【００５４】
このシーンにおいて、端末が前記ＭＡＣ ＣＥに基づいて、前記ＰＤＣＰエンティティのＣＡ ｄｕｐｌｉｃａｔｉｏｎ機能を制御する。
【００５５】
例えば、端末が前記ＬＴＥネットワークプロトコルにおけるＭＡＣ ＣＥを利用して、前記ＮＲネットワークプロトコルにおけるＰＤＣＰエンティティのＣＡ ｄｕｐｌｉｃａｔｉｏｎ機能を制御する。
【００５６】
また、例えば、端末が前記ＮＲネットワークプロトコルにおけるＭＡＣ ＣＥを利用して、前記ＬＴＥネットワークプロトコルにおけるＰＤＣＰエンティティのＣＡ ｄｕｐｌｉｃａｔｉｏｎ機能を制御する。
【００５７】
第２のデータ複製シーンにおいて、前記データ複製機能がデュアル接続複製ＤＣ ｄｕｐｌｉｃａｔｉｏｎ機能であり、これに対応し、前記ＰＤＣＰエンティティが第１の無線リンク制御プロトコルＲＬＣエンティティと第２のＲＬＣエンティティに接続され、前記第１のＲＬＣエンティティが第１のＭＡＣエンティティに接続され、前記第２のＲＬＣエンティティが第２のＭＡＣエンティティに接続され、図１を参照する。
【００５８】
このシーンにおいて、端末が前記ＭＡＣ ＣＥに基づいて、前記ＰＤＣＰエンティティのＤＣ ｄｕｐｌｉｃａｔｉｏｎ機能を制御する。
【００５９】
例えば、端末が前記ＬＴＥネットワークプロトコルにおけるＭＡＣ ＣＥを利用して、前記ＮＲネットワークプロトコルにおけるＰＤＣＰエンティティのＤＣ ｄｕｐｌｉｃａｔｉｏｎ機能を制御する。
【００６０】
また、例えば、端末が前記ＮＲネットワークプロトコルにおけるＭＡＣ ＣＥを利用して、前記ＬＴＥネットワークプロトコルにおけるＰＤＣＰエンティティのＤＣ ｄｕｐｌｉｃａｔｉｏｎ機能を制御する。
【００６１】
本発明の実施例において、例えば、前記ＰＤＣＰエンティティは、プライマリセルグループに搬送されるＰＤＣＰエンティティ、セカンダリセルグループに搬送されるＰＤＣＰエンティティ、プライマリセルグループ鍵を使用するＰＤＣＰエンティティ、又はセカンダリセルグループ鍵を使用するＰＤＣＰエンティティであってもよい。
【００６２】
本発明の実施例において、前記ＰＤＣＰエンティティは、オフロードベアラのＰＤＣＰエンティティである。
【００６３】
上記の技術案において、端末が前記ＭＡＣ ＣＥに基づいて、前記端末のＰＤＣＰエンティティのデータ複製機能を制御することは、端末が前記ＭＡＣ ＣＥに基づいて、前記端末のＰＤＣＰエンティティのデータ複製機能がアクティブ状態にあるように制御し、又は、端末が前記ＭＡＣ ＣＥに基づいて、前記端末のＰＤＣＰエンティティのデータ複製機能が非アクティブ状態にあるように制御することを含む。
【００６４】
図４は本発明の実施例におけるデータ複製機能の制御装置の構成図であり、図４に示すように、前記装置は、受信ユニット４０１及び制御ユニット４０２を含み、
受信ユニット４０１は、基地局により送信されたＭＡＣ ＣＥを受信するように構成され、前記ＭＡＣ ＣＥが第１のネットワークプロトコルをサポートし、
制御ユニット４０２は、前記ＭＡＣ ＣＥに基づいて、前記端末のＰＤＣＰエンティティのデータ複製機能を制御するように構成され、前記ＰＤＣＰエンティティが第２のネットワークプロトコルをサポートする。
【００６５】
本発明の実施例において、前記第１のネットワークプロトコルがＬＴＥネットワークプロトコルであり、前記第２のネットワークプロトコルがＮＲネットワークプロトコルである。
【００６６】
本発明の他の実施例において、前記第１のネットワークプロトコルがＮＲネットワークプロトコルであり、前記第２のネットワークプロトコルがＬＴＥネットワークプロトコルである。
【００６７】
本発明の実施例において、前記第１のネットワークプロトコルがＬＴＥネットワークプロトコルであり、前記第２のネットワークプロトコルがＮＲネットワークプロトコルである場合、
前記制御ユニット４０２は、具体的に、前記ＬＴＥネットワークプロトコルにおけるＭＡＣ ＣＥを利用して、前記ＮＲネットワークプロトコルにおけるＰＤＣＰエンティティのデータ複製機能を制御するように構成される。
【００６８】
本発明の実施例において、前記第１のネットワークプロトコルがＮＲネットワークプロトコルであり、前記第２のネットワークプロトコルがＬＴＥネットワークプロトコルである場合、
前記制御ユニット４０２は、具体的に、前記ＮＲネットワークプロトコルにおけるＭＡＣ ＣＥを利用して、前記ＬＴＥネットワークプロトコルにおけるＰＤＣＰエンティティのデータ複製機能を制御するように構成される。
【００６９】
本発明の実施例において、前記データ複製機能がＣＡ ｄｕｐｌｉｃａｔｉｏｎ機能であり、これに対応し、前記ＰＤＣＰエンティティが第１の無線リンク制御プロトコルＲＬＣエンティティと第２のＲＬＣエンティティに接続され、前記第１のＲＬＣエンティティと前記第２のＲＬＣエンティティとが第３のＭＡＣエンティティに接続され、
前記制御ユニット４０２は、具体的に、前記ＭＡＣ ＣＥに基づいて、前記ＰＤＣＰエンティティのＣＡ ｄｕｐｌｉｃａｔｉｏｎ機能を制御するように構成される。
【００７０】
本発明の実施例において、前記データ複製機能がデュアル接続複製ＤＣ ｄｕｐｌｉｃａｔｉｏｎ機能であり、これに対応し、前記ＰＤＣＰエンティティが第１の無線リンク制御プロトコルＲＬＣエンティティと第２のＲＬＣエンティティに接続され、前記第１のＲＬＣエンティティが第１のＭＡＣエンティティに接続され、前記第２のＲＬＣエンティティとが第２のＭＡＣエンティティに接続され、
前記制御ユニット４０２は、具体的に、前記ＭＡＣ ＣＥに基づいて、前記ＰＤＣＰエンティティのＤＣ ｄｕｐｌｉｃａｔｉｏｎ機能を制御するように構成される。
【００７１】
本発明の実施例において、前記ＰＤＣＰエンティティは、プライマリセルグループに搬送されるＰＤＣＰエンティティである。
【００７２】
本発明の実施例において、前記ＰＤＣＰエンティティは、セカンダリセルグループに搬送されるＰＤＣＰエンティティである。
【００７３】
本発明の実施例において、前記ＰＤＣＰエンティティは、プライマリセルグループ鍵を使用するＰＤＣＰエンティティである。
【００７４】
本発明の実施例において、前記ＰＤＣＰエンティティは、セカンダリセルグループ鍵を使用するＰＤＣＰエンティティである。
【００７５】
本発明の実施例において、前記ＰＤＣＰエンティティは、オフロードベアラのＰＤＣＰエンティティである。
【００７６】
本発明の実施例において、前記制御ユニット４０２は、具体的に、前記ＭＡＣ ＣＥに基づいて、前記端末のＰＤＣＰエンティティのデータ複製機能がアクティブ状態にあるように制御するように構成される。
【００７７】
本発明の他の実施例において、前記制御ユニット４０２は、具体的に、前記ＭＡＣ ＣＥに基づいて、前記端末のＰＤＣＰエンティティのデータ複製機能が非アクティブ状態にあるように制御するように構成される。
【００７８】
図４に示したデータ複製機能の制御装置における各ユニットの実現機能は、上述したデータ複製機能の制御方法の説明を参照して理解されるべきである。図４に示すデータ複製機能の制御装置における各手段の機能は、プロセッサ上で動作するプログラムによって実現されてもよいし、具体的な論理回路によって実現されてもよい。
【００７９】
なお、本発明の実施の形態に係る上記データ複製機能の制御装置は、ソフトウェア機能ブロックとして実現され、独立した製品として販売または使用される場合には、コンピュータ読み取り可能な記録媒体に格納されてもよい。このような理解に基づいて、本発明の実施形態の技術的解決策の本質または従来技術に寄与する部分は、本発明の様々な実施形態による方法の全てまたは一部を１つのコンピュータデバイス(パーソナルコンピュータ、サーバ、またはネットワークデバイスなどであり得る)に実行させるための複数の命令を含む１つの記憶媒体に記憶されたソフトウェア製品の形態で具現化され得る。また、前記記憶媒体としては、Ｕ字ディスク、リムーバブルハードディスク、リードオンリーメモリ( ＲＯＭ、Ｒｅａｄ Ｏｎｌｙ Ｍｅｍｏｒｙ )、磁気ディスク、光ディスク等のプログラムコードを記憶できる種々の媒体を用いることができる。このように、本発明の実施形態は、ハードウェアとソフトウェアのいかなる組み合わせにも限定されない。
【００８０】
また、本発明の実施例は、プロセッサによって実行されたときに、本発明の実施形態に係る上記データコピー機能を実現する制御方法を実行するコンピュータ実行可能命令を記憶したコンピュータ記憶媒体を提供する。
【００８１】
図５は、本発明の一実施例に係る端末の構成を示す図であり、端末１００は、図５に示すように、１又は複数(図面では１つのみ示す)のプロセッサ１２ (マイクロプロセッサ( ＭＣＵ、Ｍｉｃｒｏ Ｃｏｎｔｒｏｌｌｅｒ Ｕｎｉｔ )やプログラマブルロジックデバイス( ＦＰＧＡ、Ｆｉｅｌｄ Ｐｒｏｇｒａｍｍａｂｌｅ Ｇａｔｅ Ａｒｒａｙ )等の処理装置を含んでもよいが、これに限定されない)と、データを記憶するメモリ１４と、通信機能のための伝送装置１６とを備えている。図５に示す構成は、例示であり、上述した電子装置の構成に限定されないことは、当業者に理解されるところである。例えば、端末１００は、図５に示した構成よりも多いか少ない構成をさらに含んでもよく、図５に示した構成と異なる構成を有してもよい。
【００８２】
メモリ１４は、本発明の実施形態におけるデータ複製機能の制御方法に対応するプログラム命令/モジュールのような、アプリケーションのソフトウェアプログラムおよびモジュールを格納するために使用され、プロセッサ１２は、メモリ１４に格納されたソフトウェアプログラムおよびモジュールを実行することによって、様々な機能アプリケーションおよびデータ処理を実行する、すなわち、上記の方法を実現する。メモリ１４は、高速ランダムアクセスメモリを含んでもよく、１つ以上の磁気記憶デバイス、フラッシュメモリ、または他の不揮発性ソリッドステートメモリなどの不揮発性メモリを含んでもよい。いくつかの例では、メモリ１４は、プロセッサ１２に対してリモートに配置されたメモリをさらに含み得、これらのメモリは、ネットワークを介して端末１００に接続され得る。上記ネットワークの例としては、インターネット、イントラネット、ローカルエリアネットワーク、移動体通信ネットワーク、及びこれらの組み合わせが挙げられるが、これらに限定されない。
【００８３】
伝送装置１６は、ネットワークを介してデータを送受信するためのものである。上記のネットワークの具体例としては、端末１００の通信事業者が提供する無線ネットワークが挙げられる。一例では、伝送装置１６は、基地局を介して他のネットワーク装置に接続可能であり、インターネットと通信可能であるネットワークアダプタ( ＮＩＣ、Ｎｅｔｗｏｒｋ Ｉｎｔｅｒｆａｃｅ Ｃｏｎｔｒｏｌｌｅｒ )を含む。一例では、伝送装置１６は、無線方式でインターネットと通信するための無線周波数( ＲＦ、Ｒａｄｉｏ Ｆｒｅｑｕｅｎｃｙ )モジュールであってもよい。
【００８４】
本発明の実施例に記載した技術的手段は、矛盾なき限り、任意に組み合わせることができる。
【００８５】
本発明によって提供されるいくつかの実施形態において、開示される方法およびスマートデバイスは、他の方法で実現されてもよいことが理解されるべきである。なお、以上の装置の実施形態はあくまでも一例であり、例えば、装置の分割、論理的機能の分割などは、実際の実施に際しては、これら複数の装置や構成要素を組み合わせたり、他のシステムに統合したり、あるいは、一部の構成要素を省略したり、省略したりすることが可能である。さらに、図示又は説明された構成要素は、電気的、機械的、又は他の形態の、いくつかのインターフェース、装置又はユニットを介した、互いに、又は直接的に、又は通信的に、間接的な結合又は通信的な接続を有し得る。
【００８６】
上記分離手段として説明したユニットは、物理的に分離していても、あるいは分離していなくてもよく、ユニットとして表示されるユニットは、物理的ユニットであっても、あるいは物理的ユニットでなくてもよく、すなわち一箇所にあっても、複数のネットワークユニットに分散していてもよく、また、本実施形態の目的を達成する手段の一部又は全部を、必要に応じて選択することができる。
【００８７】
また、本発明の各実施例における各機能部は、全てが１つの第２の処理部に集積されてもよいし、各部がそれぞれ単独で１つのユニットとして構成されてもよいし、２つ以上のユニットが１つのユニットに集積されてもよいし、上記の統合されたユニットは、ハードウェアの形態で実現されてもよいし、ハードウェア及びソフトウェア機能ユニットの形態で実現されてもよい。
【００８８】
以上、本発明の具体的な実施形態について説明したが、本発明の技術的範囲はこれに限定されるものではなく、本発明が属する技術分野で通常の知識を有する者であれば、本発明の技術的範囲内で容易に変更や置換をなし得ることは自明である。
【手続補正２】
【補正対象書類名】特許請求の範囲
【補正対象項目名】全文
【補正方法】変更
【補正の内容】
【特許請求の範囲】
【請求項１】
端末が基地局により送信されたメディアアクセス制御-制御情報ＭＡＣ  ＣＥを受信することと、
前記端末が前記ＭＡＣ  ＣＥに基づいて、前記端末のパケットデータコンバージェンスプロトコルＰＤＣＰエンティティのデータ複製機能を制御することとを含み、
前記ＭＡＣ  ＣＥが第１のネットワークプロトコルをサポートし、前記ＰＤＣＰエンティティが第２のネットワークプロトコルをサポートする
ことを特徴とするデータ複製機能の制御方法。
【請求項２】
前記第１のネットワークプロトコルがロングタームエボリューションＬＴＥネットワークプロトコルであり、前記第２のネットワークプロトコルが次世代移動通信ＮＲネットワークプロトコルであり、
又は、
前記第１のネットワークプロトコルがＮＲネットワークプロトコルであり、前記第２のネットワークプロトコルがＬＴＥネットワークプロトコルである
ことを特徴とする請求項１に記載のデータ複製機能の制御方法。
【請求項３】
前記端末が前記ＭＡＣ  ＣＥに基づいて前記端末のＰＤＣＰエンティティのデータ複製機能を制御することは、
前記第１のネットワークプロトコルがロングタームエボリューションＬＴＥネットワークプロトコルであり、前記第２のネットワークプロトコルが次世代移動通信ＮＲネットワークプロトコルである場合、前記端末が前記ＬＴＥネットワークプロトコルにおけるＭＡＣ  ＣＥを利用して、前記ＮＲネットワークプロトコルにおけるＰＤＣＰエンティティのデータ複製機能を制御することを含み、
又は、
前記第１のネットワークプロトコルがＮＲネットワークプロトコルであり、前記第２のネットワークプロトコルがＬＴＥネットワークプロトコルである場合、前記端末が前記ＮＲネットワークプロトコルにおけるＭＡＣ  ＣＥを利用して、前記ＬＴＥネットワークプロトコルにおけるＰＤＣＰエンティティのデータ複製機能を制御することを含む
ことを特徴とする請求項２に記載のデータ複製機能の制御方法。
【請求項４】
前記データ複製機能がキャリアアグリゲーション複製ＣＡ  ｄｕｐｌｉｃａｔｉｏｎ機能であり、これに対応し、前記ＰＤＣＰエンティティが第１の無線リンク制御プロトコルＲＬＣエンティティと第２のＲＬＣエンティティに接続され、前記第１のＲＬＣエンティティと前記第２のＲＬＣエンティティとが第３のＭＡＣエンティティに接続され、
前記端末が前記ＭＡＣ  ＣＥに基づいて前記端末のＰＤＣＰエンティティのデータ複製機能を制御することは、
前記端末が前記ＭＡＣ  ＣＥに基づいて、前記ＰＤＣＰエンティティのＣＡ  ｄｕｐｌｉｃａｔｉｏｎ機能を制御することを含む
ことを特徴とする請求項１に記載のデータ複製機能の制御方法。
【請求項５】
前記データ複製機能がデュアル接続複製ＤＣ  ｄｕｐｌｉｃａｔｉｏｎ機能であり、これに対応し、前記ＰＤＣＰエンティティが第１の無線リンク制御プロトコルＲＬＣエンティティと第２のＲＬＣエンティティに接続され、前記第１のＲＬＣエンティティが第１のＭＡＣエンティティに接続され、前記第２のＲＬＣエンティティが第２のＭＡＣエンティティに接続され、
前記端末が前記ＭＡＣ  ＣＥに基づいて前記端末のＰＤＣＰエンティティのデータ複製機能を制御することは、
前記端末が前記ＭＡＣ  ＣＥに基づいて、前記ＰＤＣＰエンティティのＤＣ  ｄｕｐｌｉｃａｔｉｏｎ機能を制御することを含む
ことを特徴とする請求項１に記載のデータ複製機能の制御方法。
【請求項６】
前記ＰＤＣＰエンティティは、プライマリセルグループに搬送されるＰＤＣＰエンティティ、セカンダリセルグループに搬送されるＰＤＣＰエンティティ、プライマリセルグループ鍵を使用するＰＤＣＰエンティティ、セカンダリセルグループ鍵を使用するＰＤＣＰエンティティ、オフロードベアラのＰＤＣＰエンティティのいずれかである
ことを特徴とする請求項１〜５のいずれか１項に記載のデータ複製機能の制御方法。
【請求項７】
前記端末が前記ＭＡＣ  ＣＥに基づいて前記端末のＰＤＣＰエンティティのデータ複製機能を制御することは、
前記端末が前記ＭＡＣ  ＣＥに基づいて、前記端末のＰＤＣＰエンティティのデータ複製機能がアクティブ状態にあるように制御すること、
又は、
前記端末が前記ＭＡＣ  ＣＥに基づいて、前記端末のＰＤＣＰエンティティのデータ複製機能が非アクティブ状態にあるように制御することを含む
ことを特徴とする請求項１〜６のいずれか１項に記載のデータ複製機能の制御方法。
【請求項８】
受信ユニットと、制御ユニットとを備えるデータ複製機能の制御装置であって、
前記受信ユニットは、基地局により送信されたＭＡＣ  ＣＥを受信するように構成され、前記ＭＡＣ  ＣＥが第１のネットワークプロトコルをサポートし、
前記制御ユニットは、前記ＭＡＣ  ＣＥに基づいて、前記端末のＰＤＣＰエンティティのデータ複製機能を制御するように構成され、前記ＰＤＣＰエンティティが第２のネットワークプロトコルをサポートする
ことを特徴とするデータ複製機能の制御装置。
【請求項９】
前記第１のネットワークプロトコルがＬＴＥネットワークプロトコルであり、前記第２のネットワークプロトコルがＮＲネットワークプロトコルであり
又は、
前記第１のネットワークプロトコルがＮＲネットワークプロトコルであり、前記第２のネットワークプロトコルがＬＴＥネットワークプロトコルである
ことを特徴とする請求項８に記載のデータ複製機能の制御装置。
【請求項１０】
前記制御ユニットは、
前記第１のネットワークプロトコルがＬＴＥネットワークプロトコルであり、前記第２のネットワークプロトコルがＮＲネットワークプロトコルである場合、前記ＬＴＥネットワークプロトコルにおけるＭＡＣ  ＣＥを利用して、前記ＮＲネットワークプロトコルにおけるＰＤＣＰエンティティのデータ複製機能を制御するように構成され、
又は、
前記第１のネットワークプロトコルがＮＲネットワークプロトコルであり、前記第２のネットワークプロトコルがＬＴＥネットワークプロトコルである場合、前記ＮＲネットワークプロトコルにおけるＭＡＣ  ＣＥを利用して、前記ＬＴＥネットワークプロトコルにおけるＰＤＣＰエンティティのデータ複製機能を制御するように構成される
ことを特徴とする請求項９に記載のデータ複製機能の制御装置。
【請求項１１】
前記データ複製機能がＣＡ  ｄｕｐｌｉｃａｔｉｏｎ機能であり、これに対応し、前記ＰＤＣＰエンティティが第１の無線リンク制御プロトコルＲＬＣエンティティと第２のＲＬＣエンティティに接続され、前記第１のＲＬＣエンティティと前記第２のＲＬＣエンティティとが第３のＭＡＣエンティティに接続され、
前記制御ユニットは、前記ＭＡＣ  ＣＥに基づいて、前記ＰＤＣＰエンティティのＣＡ  ｄｕｐｌｉｃａｔｉｏｎ機能を制御するように構成される
ことを特徴とする請求項８に記載のデータ複製機能の制御装置。
【請求項１２】
前記データ複製機能がデュアル接続複製ＤＣ  ｄｕｐｌｉｃａｔｉｏｎ機能であり、これに対応し、前記ＰＤＣＰエンティティが第１の無線リンク制御プロトコルＲＬＣエンティティと第２のＲＬＣエンティティに接続され、前記第１のＲＬＣエンティティが第１のＭＡＣエンティティに接続され、前記第２のＲＬＣエンティティとが第２のＭＡＣエンティティに接続され、
前記制御ユニットは、前記ＭＡＣ  ＣＥに基づいて、前記ＰＤＣＰエンティティのＤＣ  ｄｕｐｌｉｃａｔｉｏｎ機能を制御するように構成される
ことを特徴とする請求項８に記載のデータ複製機能の制御装置。
【請求項１３】
前記ＰＤＣＰエンティティは、プライマリセルグループに搬送されるＰＤＣＰエンティティ、セカンダリセルグループに搬送されるＰＤＣＰエンティティ、プライマリセルグループ鍵を使用するＰＤＣＰエンティティ、セカンダリセルグループ鍵を使用するＰＤＣＰエンティティ、オフロードベアラのＰＤＣＰエンティティのいずれかである
ことを特徴とする請求項８〜１２のいずれか１項に記載のデータ複製機能の制御装置。
【請求項１４】
前記制御ユニットは、前記ＭＡＣ  ＣＥに基づいて、前記端末のＰＤＣＰエンティティのデータ複製機能がアクティブ状態にあるように制御するように構成され、
又は、
前記ＭＡＣ  ＣＥに基づいて、前記端末のＰＤＣＰエンティティのデータ複製機能が非アクティブ状態にあるように制御するように構成される
ことを特徴とする請求項８〜１３のいずれか１項に記載のデータ複製機能の制御装置。
【請求項１５】
プロセッサによって実行されると、請求項１〜７のいずれか一項に記載の方法ステップを実施するコンピュータ実行可能命令を記憶した
ことを特徴とするコンピュータ記憶媒体。
【手続補正３】
【補正対象書類名】図面
【補正対象項目名】全図
【補正方法】変更
【補正の内容】
【図１】
2021502738.tif 000001
【図２】
2021502738.tif 000002
【図３】
2021502738.tif 000003
【図４】
2021502738.tif 000004
【図５】
2021502738.tif 000005